(57)【特許請求の範囲】
【請求項１】
液晶表示素子と、該液晶表示素子を上下で挟持して取り付けるケースと取付部材とを備え、前記ケース又は前記取付部材と一体に、前記液晶表示素子に当接して、上下方向に移動可能な凸部を有する緩衝部材を設け、前記ケースには側壁、又は前記取付部材には上面板を設け、前記側壁又は前記上面板には、２つの平行なスリット間に位置して上下方向に撓み可能な第１の撓み部を設け、第１の前記緩衝部材を、前記第１の撓み部と、前記第１の撓み部に形成された前記凸部とで構成し、前記側壁又は前記上面板には、前記凸部の近傍に、前記凸部よりも低い、前記液晶表示素子に当接可能な規制突起部を設けたことを特徴とする液晶表示装置。
【請求項２】
一端が前記側壁、又は前記上面板に連結されて他端が上下方向に撓み可能な片持ち状の第２の撓み部を設け、第２の前記緩衝部材を、前記第２の撓み部と、前記第２の撓み部に形成された前記凸部とで構成してＬ字状に形成し、前記第２の緩衝部材が前記液晶表示素子の角部に当接し、前記第１の緩衝部材が前記液晶表示素子の２つの角部の間に当接することを特徴とする請求項１に記載の液晶表示装置。
【発明の詳細な説明】
【０００１】
【発明の属する技術分野】
本発明は、液晶表示装置に係るものであり、特に液晶表示装置を構成する、液晶表示素子を配設するためのケースに設ける緩衝部材に関する。
【０００２】
【従来の技術】
図１１は、従来の液晶表示装置の斜視図、図１２は、従来の液晶表示装置の分解斜視図、図１３は、従来の液晶表示装置の組立を示す説明図である。
合成樹脂の成型品からなり、上部が開放された箱形のケース２１は、底面板２１ａと、底面板２１ａの外周に設けられた４つの側壁２１ｂと、底面板２１ａから上方に突出した凸条部からなる複数の支持部材２１ｃと、側壁２１ｂの外側面下部に設けられた複数個の凹部２１ｄとで構成されている。
【０００３】
液晶材が封入された平板状の液晶表示素子２２は、その下面外周部にシリコン系の弾性を有するゴムからなる緩衝部材２３が接着剤で取り付けられている。また、液晶表示素子２２の外周には、電気部品が搭載されたプリント基板２４が、可撓性を有し液晶表示素子駆動用ＩＣが設けられたプリントフィルム２５により電気的に接続されて取り付けられている。
【０００４】
平板状の導光体２６、細長い棒形状をなしたランプ２７がケース２１内に収納され、また、導光体２６の上方には、プリントフィルム２５によりプリント基板２４が取り付けられた液晶表示素子２２が収納されている。
【０００５】
金属板からなる取付部材２８は、上面板２８ａと、上面板２８ａに形成された開口部２８ｂと、開口部２８ｂの外周近傍で上面板２８ａに突き出し加工により設けられた凸条の押え部２８ｃと、上面板２８ａの外周部を折り曲げて形成された４つの側面板２８ｄと、側面板２８ｄから下方に一体に伸びた複数のＬ字状の腕部２８ｅとで構成されている。開口部２８ｂは、液晶表示素子２２の有効表示領域よりも大きく開口され、また、腕部２８ｅは、側面板２８ｄと連結されて垂直方向に伸びた連結部２８ｆと、水平方向に長く伸びた水平部２８ｇとによりＬ字状に構成されている。
【０００６】
取付部材２８は、図１１に示すように、ケース２１の上方を覆うように被せられ、ケース２１内に収納されたプリント基板２４及びランプ２７が上面板２８ａによって覆い隠されるとともに、取付部材２８の腕部２８ｅの水平部２８ｇが凹部２１ｄの内方へ折り曲げられてケース２１に固定されている。また、導光体２６上部の液晶表示素子２２が、緩衝部材２３が介在された状態で支持部材２１ｃと、押え部２８ｃとにより挟持され、液晶表示素子２２の有効表示領域が開口部２８ｂより露出された状態で取り付けられて、従来の液晶表示装置が構成されている。
【０００７】
従来の液晶表示装置を組み立てるには、ケース２１の上方から取付部材２８を被せ、図１３Ｂ中に矢印で示すように押し付けながら、腕部２８ｅの水平部２８ｇを凹部２１ｄの内方へ折り曲げる。この際、取付部材２８が過剰な力で押し付けられても、緩衝部材２３が上下方向に縮められて力を吸収するため、液晶表示素子２２が破損されるのを防止することができる。
また、従来の液晶表示装置の組立後に、衝撃や静荷重等の外部応力が加えられても、同様に緩衝部材２３が上下方向に縮められて外部応力を吸収し、液晶表示素子２２の破損が防止される。
【０００８】
【発明が解決しようとする課題】
しかしながら、液晶表示素子２２に取り付ける、ゴムからなる緩衝部材２３の材料コストが掛かるとともに、液晶表示装置の製造工程において、液晶表示素子２２に緩衝部材２３を取り付ける工程が増えることとなり、従来の液晶表示装置の製造コストの上昇を招いていた。
【０００９】
また、液晶表示装置内のプリント基板２４上の電子部品等から発生した熱や、支持部材２１ｃと押え部２８ｃとにより挟持される際の圧力が原因となり、従来の液晶表示装置を長時間使用していると、緩衝部材２３が徐々に変形し、液晶表示素子２２の有効表示領域にまで侵出して、表示に不具合を起こす問題が生じていた。
【００１０】
【課題を解決するための手段】
前記課題を解決するための第１の解決手段として、本発明の液晶表示素子は、液晶表示素子と、該液晶表示素子を上下で挟持して取り付けるケースと取付部材とを備え、前記ケース又は前記取付部材と一体に、前記液晶表示素子に当接して、上下方向に移動可能な凸部を有する緩衝部材を設け、前記ケースには側壁、又は前記取付部材には上面板を設け、前記側壁又は前記上面板には、２つの平行なスリット間に位置して上下方向に撓み可能な第１の撓み部を設け、第１の前記緩衝部材を、前記第１の撓み部と、前記第１の撓み部に形成された前記凸部とで構成し、前記側壁又は前記上面板には、前記凸部の近傍に、前記凸部よりも低い、前記液晶表示素子に当接可能な規制突起部を設けた構成とした。
【００１１】
また、第２の解決手段として、本発明の液晶表示素子は、一端が前記側壁、又は前記上面板に連結されて他端が上下方向に撓み可能な片持ち状の第２の撓み部を設け、第２の前記緩衝部材を、前記第２の撓み部と、前記第２の撓み部に形成された前記凸部とで構成してＬ字状に形成し、前記第２の緩衝部材が前記液晶表示素子の角部に当接し、前記第１の緩衝部材が前記液晶表示素子の２つの角部の間に当接する構成とした。
【００１５】
【発明の実施の形態】
以下に、本発明の液晶表示装置の第１の実施の形態について説明する。図１は、本発明の第１の実施の形態の液晶表示装置の斜視図、図２は、本発明の第１の実施の形態の液晶表示装置の分解斜視図、図３は、本発明の第１の実施の形態の液晶表示装置の要部の斜視図である。また、図４及び図５は、本発明の第１の実施の形態の液晶表示装置の要部を拡大した説明図である。また、図６は、本発明の第１の実施の形態の液晶表示装置の要部側面図、図７は、図６の７−７線における要部断面図、図８は、本発明の第１の実施の形態の液晶表示装置の要部側面図であり、同図Ａは図６の８Ａ−８Ａ線における要部断面図であり、同図Ｂは、図８Ａの８Ｂ−８Ｂ線における断面図である。また、図９は、本発明の第１の実施の形態の液晶表示装置に対して外部応力を加えたときの断面図であり、同図Ａは図８Ａにおける断面図、同図Ｂは、図９Ａの９Ｂ−９Ｂ線における断面図である。
【００１６】
耐熱性合成樹脂の成型品からなり、上部が開放された箱形のケース１は、底面板１ａと、底面板１ａの外周に設けられた４つの外側の側壁１ｂと、外側の側壁１ｂの外側面に突出して設けられた複数の爪部１ｃと、爪部１ｃの下方の外側の側壁１ｂに設けられた複数個の凹部１ｄと、外側の側壁１ｂの爪部１ｃの裏側に設けられた空隙部１ｅと、外側の側壁１ｂの外側面に設けられた複数の誘導突起部１ｆと、２つの誘導突起部１ｆの間隙により構成された誘導溝１ｇ、外側の側壁１ｂの外側面に突出して設けられたストッパー１ｈとを有する。
また、ケース１は、底面板１ａの上方に突出して設けられ、側壁上面板１ｉを有する内側の側壁１ｊと、内側の側壁１ｊの側壁上面板１ｉ上の中間部に複数個設けられた第１の緩衝部材１ｋと、内側の側壁１ｊの側壁上面板１ｉ上の端部に複数個設けられた第２の緩衝部材１ｌと、第１の緩衝部材１ｋ及び第２の緩衝部材１ｌの側部近傍の側壁上面板１ｉの上方に突出して設けられた規制突起部１ｍと、内側の側壁１ｊの側壁上面板１ｉに上方に突出して設けられた複数の位置決めボス１ｎとを有して構成されている。
【００１７】
爪部１ｃは、外側の側壁１ｂの外側面に複数個設けられ、外側の側壁１ｂの上部から下部へ行くに従って、外側の側壁１ｂの外側面からの突出高さが漸次大きくなるように形成されている。また、爪部１ｃの下面は、底面板１ａと略平行になるように設けられている。また、凹部１ｄは、図７に示すように、外側の側壁１ｂの底面板１ａと連結している内側面下部の厚肉とされた部分に設けられている。また、空隙部１ｅは、爪部１ｃが設けられている外側の側壁１ｂの裏側の厚肉部を除して設けられている。また、誘導突起部１ｆは、外側の側壁１ｂの外側面が厚肉とされ、外側面から突出して複数個設けられている。また、誘導溝１ｇは、２つの誘導突起部１ｆの、底面板１ａと垂直、且つ対向した２つの面が形成する間隙により構成されている。この誘導溝１ｇは、少なくとも相対向する２つの外側の側壁１ｂに設けられる。また、ストッパー１ｈは、外側の側壁１ｂの外側面の下部が厚肉とされ、外側面に突出して複数個設けられ、その上面は底面板１ａと略平行とされている。
【００１８】
また、内側の側壁１ｊは、図３に示すように、底面板１ａの上方に突出して外側の側壁１ｂと略平行に３つ設けられ、コの字状とされている。また、内側の側壁１ｊは、図４及び図５に示すように、内部に空洞を有し断面が逆Ｕ字状形状とされている。これらの内側の側壁１ｊは、それぞれの高さが外側の側壁１ｂよりも低く、それらの上部を形成する側壁上面板１ｉは、底面板１ａと略平行とされている。
【００１９】
また、第１の緩衝部材１ｋは、図４に示すように、内側の側壁１ｊの側壁上面板１ｉの中間部に形成された２つの平行なスリットＳと、スリットＳ間に位置する上下方向に撓み可能な第１の撓み部Ｔ１と、この第１の撓み部Ｔ１に上方に突出して形成され、半球状の先端を有する棒状の２つの凸部Ｄとからなり、内側の側壁１ｊの側壁上面板１ｉに、それぞれ離れて複数個設けられている。
【００２０】
また、第２の緩衝部材１ｌは、図５に示すように、内側の側壁１ｊの側壁上面板１ｉ上の端部に形成されたコの字状のスリットＳと、スリットＳ内に位置し、一端が側壁上面板１ｉに連結されて他端が上下方向に撓み可能な片持ち状の第２の撓み部Ｔ２と、この第２の撓み部Ｔ２の側壁上面板１ｉと連結されていない自由端部上方に突出して形成され、半球状の先端を有する１つの棒状の凸部Ｄとからなる。この第２の緩衝部材１ｌは、片持ち状とされているため、第１の緩衝部材１ｋの第１の撓み部Ｔ１と比べて第２の撓み部Ｔ２が撓みやすい。これらの第２の緩衝部材１ｌは、内側の側壁１ｊの側壁上面板１ｉの各両端部に、２つずつ設けられている。また、第１の緩衝部材１ｋ及び第２の緩衝部材１ｌの凸部Ｄは、同一側壁内は全て同じ高さとなるように設けられている。
【００２１】
また、規制突起部１ｍは、第１の緩衝部材１ｋ及び第２の緩衝部材１ｌの側部近傍の側壁上面板１ｉの上方に突出して設けられた棒状の突起からなり、その高さは、第１の緩衝部材１ｋ及び第２の緩衝部材１ｌよりも低くされ、全て同じ高さとなるように設けられている。また、位置決めボス１ｎは、各内側の側壁１ｊの交差部及び端部の側壁上面板１ｉ上、あるいは外側の側壁１ｂの、少なくとも底面板１ａの対角となる位置に設けられ、底面板１ａと垂直となる柱状をなしている。尚、第１の緩衝部材１ｋ及び第２の緩衝部材１ｌに設けられた凸部Ｄは、２つ設けるとしたが１つあるいは３つ以上設けることも可能である。また、凸部Ｄの形状は棒状に限らず、例えば平板状の突起部とすることも可能である。
【００２２】
また、液晶材が封入された平板状の液晶表示素子２は、その外周に電気部品が搭載されたプリント基板３が、可撓性を有し液晶表示素子駆動用ＩＣが設けられたプリントフィルム４により電気的に接続されて取り付けられている。
【００２３】
平板状の導光体５、細長い棒形状をなしたランプ６がケース１内に収納され、また、導光体５の上方には、プリントフィルム４によりプリント基板３が取り付けられた液晶表示素子２が、第１の緩衝部材１ｋ及び第２の緩衝部材１ｌに設けられた凸部Ｄに当接して収納されている。この際、第２の緩衝部材１ｌの凸部Ｄは、液晶表示素子２の角部に当接し、第１の緩衝部材１ｋの凸部Ｄは、液晶表示素子２の外周部の２つの角部の間の辺部に当接する。
【００２４】
金属板からなる取付部材７は、上面板７ａと、上面板７ａに形成された開口部７ｂと、開口部７ｂの外周近傍で上面板７ａに突き出し加工により設けられた凸条の押え部７ｃと、上面板７ａに穿設された複数の位置決め孔７ｄと、上面板７ａの外周部を折り曲げて形成された４つの側面板７ｅと、側面板７ｅから下方に一体に伸びた複数のＬ字状の腕部７ｆと、側面板７ｅの下方に一体に伸びた複数の誘導片７ｇとで構成されている。
【００２５】
開口部７ｂは、液晶表示素子２の有効表示領域よりも大きく開口されている。また、位置決め孔７ｄは、図１、図２に示すように、上面板７ａに貫通して複数個設けられ、少なくとも上面板７ａの対角位置に設けてなる。また、腕部７ｆは、側面板７ｅと連結された連結部７ｈと、水平方向に長く伸びた係止部７ｉとによりＬ字状に構成されている。また、誘導片７ｇは、少なくとも相対向する２つの側面板７ｅの下方に延出して設けられ、外側の側壁１ｂに設けられた誘導溝１ｇの幅よりも若干幅狭に形成されている。尚、この実施の形態では取付部材７を金属板からなるもので説明したが、合成樹脂の成型品を使用しても良い。
【００２６】
取付部材７は、位置決めボス１ｎの先端部が位置決め孔７ｄ内に嵌合されて、ケース１の上方を覆うように被せられ、腕部７ｆの係止部７ｉで爪部１ｃに係止されている。また、誘導片７ｇは、誘導溝１ｇを構成する２つの誘導突起部１ｆ間に位置されている。また、ケース１内に収納されたランプ６及びプリント基板３が上面板７ａによって覆い隠されるとともに、導光体５上部の液晶表示素子２が、第１の緩衝部材１ｋ及び第２の緩衝部材１ｌの凸部Ｄと、押え部７ｃとにより挟持され、液晶表示素子２の有効表示領域が開口部７ｂより露出された状態で取り付けられている。
また、取付部材７がケース１に取り付けられた状態では、位置決め孔７ｄ内から位置決めボス１ｎの先端部が外部より視認できる程度に突出している。また、腕部７ｆの係止部７ｉの上端と、爪部１ｃの下面とが接触して係止されている。
【００２７】
本発明の液晶表示装置を組み立てるには、まず、ケース１内の所定位置に、導光体５及びランプ６を収納し、次にプリント基板３がプリントフィルム４により電気的に接続された液晶表示素子２を、第１の緩衝部材１ｋ及び第２の緩衝部材１ｌの凸部Ｄ上に載置して、導光体５の上部に配設する。この際、第２の緩衝部材１ｌの凸部Ｄは、液晶表示素子２の角部に当接し、第１の緩衝部材１ｋの凸部Ｄは、液晶表示素子２の外周部の２つの角部の間に位置する、１〜４つの辺部に当接する。次に、誘導片７ｇを、誘導溝１ｇをガイドとして挿入すると共に、位置決めボス１ｎが位置決め孔７ｄに嵌合、位置決めさせて、取付部材７をケース１の上方に被せる。次に、誘導片７ｇを誘導溝１ｇで案内させながら、腕部７ｆの係止部７ｉを爪部１ｃの傾斜面に当接させ、係止部７ｉの上端が爪部１ｃの下面を越えるまで、取付部材７をケース１に押し付けて圧入する。この際、爪部１ｃが設けられている外側の側壁１ｂは、その裏側に設けられている空隙部１ｅ方向へ撓むため、腕部７ｆの圧入がスムーズに行われる。また、取付部材７を押し付けた際に、ストッパー１ｈの上面が取付部材７の側面板７ｅの下端と当接し、過剰な押し付けを規制するとともに、第１の緩衝部材１ｋ及び第２の緩衝部材１ｌの凸部Ｄを有する第１、第２の撓み部Ｔ１、Ｔ２が下方へ撓むことにより、押し付け力を吸収し、液晶表示素子２に余分な力が加わるのを防ぐ。また、取付部材７の押し付けがより過度になされた場合には、液晶表示素子２の下方への押し付けによる、第１、第２の撓み部Ｔ１、Ｔ２の過剰な撓みを規制突起部１ｍが規制する。このようにして、本発明の液晶表示装置の組み立てが完了する。
【００２８】
前記液晶表示装置の組立後に、図９中に矢印で示すように、液晶表示装置の上下方向に衝撃や静荷重等の外部応力が加えられた場合には、第１の緩衝部材１ｋ及び第２の緩衝部材１ｌの第１、第２の撓み部Ｔ１、Ｔ２が撓み、凸部Ｄが上下に移動して外部応力を吸収し、液晶表示素子２に対して過剰な力が加わるのを防ぎ、液晶表示素子２の破損が防止される。
【００２９】
図１０は、本発明の液晶表示装置の第２の実施の形態の要部断面図であり、同図Ａは、液晶表示装置の断面図であり、同図Ｂは、同図Ａの１０Ｂ−１０Ｂ線における断面図である。第１の実施の形態では、第１の緩衝部材１ｋ及び第２の緩衝部材１ｌはケース１に設けるとしたが、同様の部材を取付部材７の上面板７ａに設けることも可能である。
【００３０】
即ち、第１の実施の形態で示した上面板７ａの内側面の押え部７ｃが設けられた位置に、内部に空洞を有し断面が逆Ｕ字状形状とされた内側の側壁７ｊを設け、それらの上部を形成する側壁上面板７ｋに、第１の実施の形態と同様の構造を有する第１の緩衝部材７ｌ及び第２の緩衝部材７ｍを設ける。また、ケース１の内側の第１の緩衝部材１ｋ及び第２の緩衝部材１ｌが設けられた位置には、直方体状の支持部材１ｐを設ける。この際、第２の緩衝部材７ｍの凸部Ｄは、液晶表示素子２の角部に当接し、第１の緩衝部材７ｌの凸部Ｄは、液晶表示素子２の外周部の２つの角部の間の辺部に当接する。そして、これらの緩衝部材７ｌ及び７ｍの凸部Ｄと支持部材１ｐとにより液晶表示素子２を挟持する。
また、規制突起部７ｎは、第１の緩衝部材７ｌ及び第２の緩衝部材７ｍの側部近傍の側壁上面板７ｋの上方に突出して設けられた棒状の突起からなり、その高さは、第１の緩衝部材７ｌ及び第２の緩衝部材７ｍよりも低くされ、全て同じ高さとなるように設けられている。
その他の構成は、第１の実施の形態と同様の構成としてあり、同一部品には同一番号を付し、ここではその説明を省略する。
【００３１】
【発明の効果】
本発明の液晶表示装置によれば、ケースには、側壁、又は前記取付部材には、上面板を設け、側壁又は前記上面板には、２つの平行なスリット間に位置して上下方向に撓み可能な第１の撓み部を設け、第１の緩衝部材を、第１の撓み部と、第１の撓み部に形成された凸部とで構成し、側壁又は上面板には、凸部の近傍に、凸部よりも低い、液晶表示素子に当接可能な規制突起部を設けたことにより、新たな緩衝部材を設ける必要が無く、ケース又は取付部材の製造時に同時に形成できるため、液晶表示装置の製造コストの上昇を防ぐことができる。また、緩衝部材は、圧力を加えられても液晶表示素子の表示に悪影響を及ぼすことが無い。
また、第１の緩衝部材を、第１の撓み部と、この第１の撓み部に形成された凸部とで構成したことにより、液晶表示装置の組み立て時や組み立て後に、上下方向に外部応力が加えられた場合に、液晶表示素子に加わる過剰な力を吸収して破損を防止することができる。
更に、凸部の近傍に、凸部よりも低い、規制突起部を設けたことにより、過度の外部応力が加えられた場合に、液晶表示素子の下方への押し付けによって、撓み部が過剰に撓むのを規制突起部が規制して、撓み部の破損を防止することができる。
【００３２】
また、一端が前記側壁、又は前記上面板に連結されて上下方向に撓み可能な腕状の第２の撓み部を設け、第２の前記緩衝部材を、前記第２の撓み部と、前記第２の撓み部に形成された前記凸部とで構成してＬ字状に形成し、前記第２の緩衝部材が前記液晶表示素子の角部に当接し、前記第１の緩衝部材が前記液晶表示素子の２つの角部の間に当接することにより、片持ち状となっている第２の緩衝部材は、第１の緩衝部材と比べて撓み部が撓みやすいため、液晶表示素子の破損しやすい角部に柔らかく当接し、液晶表示素子の角部を保護することができる。
【図面の簡単な説明】
【図１】本発明の第１の実施の形態の液晶表示装置の斜視図である。
【図２】本発明の第１の実施の形態の液晶表示装置の分解斜視図である。
【図３】本発明の第１の実施の形態の液晶表示装置の要部の斜視図である。
【図４】本発明の第１の実施の形態の液晶表示装置の要部を拡大した説明図である。
【図５】本発明の第１の実施の形態の液晶表示装置の要部を拡大した説明図である。
【図６】本発明の第１の実施の形態の液晶表示装置の要部側面図である。
【図７】図６の７−７線における要部断面図である。
【図８】本発明の第１の実施の形態の液晶表示装置の要部側面図である。
【図９】本発明の第１の実施の形態の液晶表示装置に対して外部応力を加えたときの断面図である。
【図１０】本発明の液晶表示装置の第２の実施の形態の要部断面図である。
【図１１】従来の液晶表示装置の斜視図である。
【図１２】従来の液晶表示装置の分解斜視図である。
【図１３】従来の液晶表示装置の組み立てを示す説明図である。
【符号の説明】
１  ケース
１ａ  底面板
１ｂ  外側の側壁
１ｃ  爪部
１ｄ  凹部
１ｅ  空隙部
１ｆ  誘導突起部
１ｇ  誘導溝
１ｈ  ストッパー
１ｉ  側壁上面板
１ｊ  内側の側壁
１ｋ  第１の緩衝部材
１ｌ  第２の緩衝部材
１ｍ  規制突起部
１ｎ  位置決めボス
１ｐ  支持部材
２  液晶表示素子
３  プリント基板
４  プリントフィルム
５  導光体
６  ランプ
７  取付部材
７ａ  上面板
７ｂ  開口部
７ｃ  押え部
７ｄ  位置決め孔
７ｅ  側面板
７ｆ  腕部
７ｇ  誘導片
７ｈ  連結部
７ｉ  係止部
７ｊ  内側の側壁
７ｋ  側壁上面板
７ｌ  第１の緩衝部材
７ｍ  第２の緩衝部材
７ｎ  規制突起部
Ｓ  スリット
Ｔ  撓み部
Ｄ  凸部
【図１】
0003734952.tif 000002
【図２】
0003734952.tif 000003
【図３】
0003734952.tif 000004
【図４】
0003734952.tif 000005
【図５】
0003734952.tif 000006
【図６】
0003734952.tif 000007
【図７】
0003734952.tif 000008
【図８】
0003734952.tif 000009
【図９】
0003734952.tif 000010
【図１０】
0003734952.tif 000011
【図１１】
0003734952.tif 000012
【図１２】
0003734952.tif 000013
【図１３】
0003734952.tif 000014